(57)【要約】【課題】  従来の空気調和機の室内機のグリル可動機構は、開閉体の上部と前面パネルとを離間するが、開閉体の下部は離間しない。そこで、下部からの空気の吸込みはできず、吸込み風量が充分に確保できないという課題を有している。【解決手段】  本発明の室内機のグリル可動機構は、室内機本体１に設けた駆動モータ１８の回転を伝えるシャフト２０の両端にグリル２を可動させる可動サポート１５を結合し、この可動サポート１５にグリル２を取付け、駆動モータ１８の回転により、可動サポート１５を前方に移動させることにより、グリル２を前方に可動させ、前面の吸込口１０の周り全周から空気を吸込むものである。【選択図】図１４
2006097980.tif 000002
【特許請求の範囲】
【請求項１】
前面の吸込口を有する前面パネルの前面側に、前方に可動可能なグリルを備えた空気調和機の室内機において、
室内機本体に設けた駆動モータの回転を伝えるシャフトの両端に前記グリルを可動させる可動サポートを結合し、該可動サポートに前記グリルを取り付け、
前記駆動モータの回転により、前記可動サポートを前方に移動させることにより、前記グリルを前方に可動させ、前記前面の吸込口の周り全周から空気を吸込むことを特徴とする空気調和機の室内機。
【請求項２】
前面下部に吹出口を有し、
前記駆動モータの回転により、前記可動サポートを前方で、上方に移動させることにより、前記グリルを同方向に可動させることを特徴とする請求項１に記載の空気調和機の室内機。
【請求項３】
前記吹出口に上下風向調整フラップを有し、また、前記吹出口の上端部と前記上下風向調整フラップの上端部間に開口を設け、
前記可動サポートが可動しないとき、前記可動グリルにより前記開口及び前記上下風向調整フラップの上端部が塞がれることを特徴とする請求項２に記載の空気調和機の室内機。
【請求項４】
前記シャフトの両端と前記可動サポートとの結合を、上部アームと下部アームとを介して行い、
前記上部アームの一端を前記シャフトの端部に固定し、他端を前記可動サポートに結合部を回転可能に結合し、また、前記下部アームの一端を前記室内機本体で、前記上部アームの一端より下方に結合部を回転可能に結合し、他端を前記可動サポートの前記上部アームの結合部より下部に結合部を回転可能に結合したことを特徴とする請求項１から請求項３のいずれかの請求項に記載の空気調和機の室内機。
【請求項５】
前記上部アームと前記下部アームとの長さを変えたことを特徴とする請求項４に記載の空気調和機の室内機。
【請求項６】
前記可動サポートを、前記前面パネルの左右両端側に設け、前記可動サポートの前面が前記前面パネルと同一面となる同一面配置位置と該同一面配置位置より前方の前方配置位置とに移動可能としたことを特徴とする請求項４または請求項５に記載の空気調和機の室内機。
【発明の詳細な説明】
【技術分野】
【０００１】
本発明は、空気調和機の室内機に関し、特に、室内機の吸込口の吸込み空気量を確保するグリル可動機構に関するものである。
【背景技術】
【０００２】
従来の空気調和機のグリル可動機構としては、本体の前面上部及び上面に設けられた吸込口から多量の空気を吸込む際、駆動モータおよび駆動リンクにより開閉体（グリル）を回動し、同開閉体の上部と前面パネルとを離間して前面上部の吸込口から空気を吸込めるようにするものがある（例えば、特許文献１参照）。
【特許文献１】特開２０００−２３４７６０号公報（第３頁〜第５頁、図２）
【発明の開示】
【発明が解決しようとする課題】
【０００３】
しかしながら、上記の特許文献１のグリル可動機構は、開閉体の上部と前面パネルとを離間するが、開閉体の下部は離間しない。そこで、下部からの空気の吸込みはできず、吸込み風量が充分に確保できないという課題を有している。
【０００４】
本発明は、上記のような課題を解消するためになされたもので、グリルの可動により充分の空気量を吸込むことのできる空気調和機の室内機を得ることを目的とする。
また、グリルの可動により吹出し風が邪魔されない空気調和機の室内機を得ることを目的とする。
また、意匠性の良い空気調和機の室内機を得ることを目的とする。
また、グリルの可動状態の設定が容易な空気調和機の室内機を得ることを目的とする。
また、小型化を図った空気調和機の室内機を得ることを目的とする。
【課題を解決するための手段】
【０００５】
本発明の空気調和機の室内機は、前面の吸込口を有する前面パネルの前面側に、前方に可動可能なグリルを備えたものであって、室内機本体に設けた駆動モータの回転を伝えるシャフトの両端にグリルを可動させる可動サポートを結合し、この可動サポートにグリルを取り付け、駆動モータの回転により、可動サポートを前方に移動させることにより、グリルを前方に可動させ、前面の吸込口の周り全周から空気を吸込むものである。
【発明の効果】
【０００６】
本発明の空気調和機の室内機は、グリルを前方に可動させることにより、下方を含めて前面の吸込口の周り全周から空気を吸込むので、充分の吸込み空気量が確保できる。
【発明を実施するための最良の形態】
【０００７】
実施の形態１．
図１は、本発明の実施の形態1の空気調和機の室内機本体（壁等に設置する。グリル閉じ、可動していない状態。）の外観を示す斜視図であり、図２は、図１の室内機本体１の内部構成を示す断面図である。
これらの図において、室内機本体１は、外観形状が横長のほぼ直方体の筐体であり、この筐体の上面及び前面に吸込口１０を設け、また、前面下部に吹出口１１を設けている。前面の吸込口１０は、筐体の前面を構成する前面パネル１４（後述の図３に示す）の開口部として形成し、この前面パネル１４及び前面の吸込口１０の前方には、前面２ａ、側面２ｂ及び底面２ｃを有する略皿状のグリル２が、凹部側を内側にして筐体の前面を覆うように設けられている。このグリル２の前面２ａは、意匠上の観点から全面開口のない板状体である。
筐体の内部には、吸込口１０から室内空気を吸込み、吹出口１１から吹出すファン６を設ける。そして、吸込口１０の内側に、このファン６を囲むように三つ折りの熱交換器５を設ける。熱交換器５の前面側にはフィルター２２を設置する。
このようにして、吸込口１０から吸込んだ室内空気を熱交換器５で加温または冷却し、温度調節後の空気を吹出口１１から吹出す風路を形成する。また、吹出口１１には、上下方向の風量を調節する上下風向調整フラップ８を設ける。
【０００８】
次に、グリル２を開閉するグリル開閉機構について説明する。
図３は、グリル開閉機構によりグリルを開いた状態の室内機本体を示す斜視図であり、図４、５は、軸受部を示す要部拡大図であり、図６は、内面に軸部及び操作部を設けたグリルを示す斜視図であり、図７は、グリル内面の軸部を示す要部拡大図であり、図８、９は、キャッチ部を示す要部拡大図であり、図１０は、操作部を示す要部拡大図である。
図３に示すように、グリル２は、後に詳述するが、上部に設けた軸部２５を室内機本体１側に設けた軸受部２９に装着することにより軸部２５が回転可能に支持され、下部に設けた操作部２７のツマミ部２７ａを手前に引くことにより、操作部２７が室内機本体１側に設けたキャッチ部３１から外れ、下部が前面手前側に回動し開く。また、上部の軸部２５と軸受部２９との関係は、着脱可能であり、グリル２は、操作部２７をキャッチ部３１から外した状態で室内機本体１に対して着脱可能となる。
上記のグリル開閉機構は、図４〜図１０に示すように、グリル２の内面の上部両端部に軸部２５を設け、下部両端部に操作部２７を設け、また、前面パネル１４の左右の両端にそれぞれ配置した前面側のパネルである可動サポート１５の上部に軸受部２９を設け、下部にキャッチ部３１を設ける。そして、両軸部２５をそれぞれ軸受部２９、２９に装着し、グリル２が閉じることにより、操作部２７をそれぞれキャッチ部３１、３１に結合させるものである。
【０００９】
ここで、可動サポート１５は、後述の図１５、図１６等に示すように、前面の吸込口の開口を有する前面パネル１４の両端に配置され、概略の形状が前面と、筐体の側面側に折れ曲がった側面とからなる上下方向に長形のもので、筐体の左右の前面の端部と側面の前面側端部とを形成する。そして、可動サポート１５は、上部アーム１６及び下部アーム１７によりその前面が前面パネル１４と同一面をなす同一面配置位置とこの同一面配置位置より所定量だけ前方の前方配置位置となるように移動可能とされる（このアーム機構については、後述する）。
【００１０】
可動サポート１５の上部に設置する軸受部２９は、図４、図５に示すように、上部が開いたＪ字状のＪ字状軸受２９ａと保持用凸部ｂとから構成される。
また、図６に示すグリル２の内面に設置する軸部２５は、図７に示すように、軸受部２９のＪ字状軸受２９ａに装着するＤカット２５ｂを有するＤカット軸２５ａと、保持用凸部２５ｃとから構成される。
【００１１】
キャッチ部３１は、図８、図９に示すように、第２の保持用凸部３１ａと対向固定部３１ｂを有し、可動サポート１５の下部に設置する。これらは両者共に固定部材であり、第２の保持用凸部３１ａを対向固定部３１ｂよりグリルの前面２ａ側に設置する。
また、図６に示すグリル２の外面及び内面に設置する操作部２７は、図１０に示すように、ツマミ部２７ａを、グリル２の側面２ｂの下端部に、その縁部の両面を挟んで設ける。また、ツマミ部２７ａの内面部分から連続して、グリル２の前面２ａ側に向いかつグリル側面２ｂから離れるように延設部材２７ｆを延設し、延設部材２７ｆの先端部に作用部２７ｅを形成する。
また、作用部２７ｅよりグリル２の前面２ａ側に、グリル側面２ｂの内面側から突出する方向の凸部を有する第１の保持用凸部２７ｃを配置する。
そして、ヒンジ部２７ｂの一端を延設部材２７ｆの途中に接続し、ここからヒンジ部２７ｆをグリル前面側に延設し、他端部を第１の保持用部材２７ｃに接続する部材に接続する。
さらに、第１の保持用凸部２７ｃよりグリル２の前面２ａ側に先端に固定用ツメ２７ｄを有する部材を設ける。
ここで、ヒンジ部２７ｂは、ポリプロピレン樹脂等の薄肉で形成され、弾性を持たせたミラーヒンジである。
【００１２】
これらツマミ部２７ａ、延設部２７ｆ、ヒンジ部２７ｂ、作用部２７ｅ、第１の保持用凸部２７ｃ、固定用ツメ２７ｄを有する部材等で形成する操作部２７は一体部材とし、ツマミ部２７ａをグリル側面２ｂの縁部に挟んで取付け、また、固定用ツメ２７ｄを有する部材を、グリル底面２ｃに設けたグリル操作固定部３３の開口に挿入固定する。このようにして操作部２７をグリル底面２ｃに固定する。
【００１３】
次に、本グリル開閉機構の動作を説明する。
グリル２を開くには、操作部２７とキャッチ部３１との結合を解除し、操作部２７をキャッチ部３１から外す。
図１１に操作部２７をキャッチ部３１に結合した状態を示す。これは、グリル２を閉じた状態である。グリル２を閉じることにより、第１の保持用凸部２７ｃと第２の保持用凸部３１ａとが、両凸部同士を向き合わせ係合することにより第１の保持用凸部２７ｃが第２の保持用凸部３１ａに係止され、グリル２が開くのを防止する。
図１２の操作部２７とキャッチ部３１との結合を解除することを説明する図により、閉じた状態からグリル２を開く原理を説明する。
【００１４】
第１の保持用凸部２７ｃと第２の保持用凸部３１ａとの係合を解除する手順を図１２の（１）〜（５）に示す。
まず、ツマミ部２７ａを手前に引く（１）。
ヒンジ部２７ｂを支点として延設部材２７ｆの先端の作用部２７ｅが後方に移動し、対向固定部３１ｂを押圧する（２）。
対向固定部３１ｂからの反作用を受け、第１の保持用凸部２７ｃがグリル２と共に前方に移動する（３）。
第１の保持用凸部２７ｃの押圧により、第２の保持用凸部３１ａが内側（図１１、図１２の左側）に逃げる（４）。
第１の保持用凸部２７ｃが第２の保持用凸部３１ａを乗り越えて結合が解除される。
ここで、「手前」は、室内機の筐体の前方、「前方」及び「後方」は、それぞれ閉じたグリル２の前面２ａ方向及び反対方向である。
【００１５】
このように操作部２７は、操作方向をグリル２の開方向と同じ方向とし、操作部２７のツマミ部２７ａをグリル２開方向、即ち、手前に引くとヒンジ部２７ｂを支点としてテコの原理で第１の保持用凸部２７ｃが第２の保持用凸部３１ａを乗り越えてグリル２を押出し外すことが可能となる。この係合凸部を乗り越えるとき、クリック感を得ることはでき、快適な操作感を得る。
【００１６】
操作部２７のツマミ部２７ａを手前に引き、操作部２７とキャッチ部３１との結合を解除すれば、そのままグリル２は開くことができる。グリル２を軸部２５の軸を回転させ開いていくと、グリル２の軸部２５の所定の角度を有する保持用凸部２５ｃが、可動サポート１５の軸受部２９に設けた所定の角度を有する保持用凸部２９ｂと係合し、フィルター交換などの清掃が容易な角度にてグリル２を保持することが可能となる。
さらに、グリル２を回転させ開いていきグリル２に設けた軸部２５のＤカット２５ｂと軸受部２９のＪ字状軸受２９ａが合った所にて脱着可能となり、グリル２を外すことができる。
なお、グリル２を閉じるときは、グリル２の下端部を、開くときとは反対に回動させ押すことにより、第１の保持用凸部２７ｃと第２の保持用凸部３１ａとが係合し、第１の保持用凸部２７ｃは弾性的に係止される。
【００１７】
次に、グリル可動機構を図１３〜図２３により説明する。
図１３は、グリル可動時の室内機本体の外観を示す斜視図であり、図１４は、図１３の室内機本体の内部構成を示す断面図であり、図１５は、図１３の室内機本体のグリルを外した室内機本体を示す斜視図であり、図１６は、図１５の別の角度から見た斜視図であり、図１７は、グリルを可動しない時のグリルを外した室内機本体を示す斜視図であり、図１８は、モータ駆動をシャフトに伝える部分を示す要部拡大図であり、図１９及び図２０は、それぞれグリルを可動しない時及びグリル可動時のグリル可動機構部を示す斜視図であり、図２１、図２２は、それぞれ図１９、図２０の要部拡大図であり、図２３は、アーム機構を説明する説明図である。
室内機は、運転時には吸込口１０から充分の室内空気を吸込むために、グリル可動機構によりグリル２を前面パネル１４の前方で、斜め上方に可動して前面の吸込口１０の四方から室内空気を吸込むようにする。図１３のグリル２可動時に対応する室内機本体１の内部を示す図１４に、吸込気流１０ａを示す。図１４は図２のグリル２を可動しない時と比較して、吸込み気流が増加することを示している。
【００１８】
グリル可動機構は、室内機本体１に取付けられたステップモータからなる駆動モータ１８の駆動力をギヤ１９を介してシャフト２０に回転力を伝える。シャフト２０の左右両端にはそれぞれ上部アーム１６の一端が取り付けられ、上部アーム１６の取付け部はシャフト２０と共に回転する。そして、上部アーム１６の他端は、可動サポート１５に結合部が回転可能に結合する。
また、下部アーム１７の一端を室内機本体１で、上部アーム１６の一端より下方に結合部を回転可能に結合し、他端を可動サポート１５の上部アーム１６の結合部より下部に結合部が回転可能に結合する。
そこで、可動サポート１５は、上部アーム１６と下部アーム１７にて室内機本体１に取付けられている。そして、シャフト２０の回転と共に上部アーム１６及びこれに従動する下部アーム１７により可動サポート１５が可動し、また、逆回転により可動サポート１５が室内機本体１上に戻る。この可動状態を図１５、図２０及び図２２に、また可動しない状態を図１７、図１９及び図２１に示す。
また、室内機運転中のグリル可動機構が可動中は、普通はグリル２を開くことがないので、即ち、グリル２の操作部２７は可動サポート１５のキャッチ部３１に結合しているので、グリル２は、可動サポート１５に保持され、可動サポート１５の動きに同調する。そこで、シャフト２０の回転と共に上部アーム１６及びこれに従動する下部アーム１７が可動サポート１５を動かし、グリル２が可動する。
【００１９】
グリル可動機構の駆動モータ１８の運転制御は、制御部（図示省略）で行う。
グリル２が可動状態にて、室内機本体１に組込まれたファン６により吸込気流１０ａがグリル２の周り全周より室内機本体１に組込まれた熱交換器５に導入できる。
また、グリル可動機構は、室内機本体１に取付けられた駆動モータ１８の駆動力が、図１８、図２１、図２２に示すように、ギヤ１９を介してシャフト２０に回転を伝える。よって、駆動部がギヤ１９によって分離できる構成のため、組立時駆動モータ１８の配線作業などの組立効率が良い。
【００２０】
図２３によりグリル２を前方に可動させるアーム機構を説明する。
図２３は、図１９、図２０において、シャフト２０の軸方向から上部アーム１６及び下部アーム１７を見た図である。また、上部アーム１６の一端のシャフト２０への取付け部をＡとし、他端の可動サポート１５への取付け部をＢ（Ｂ´）とする。同様に下部アーム１７の室内機本体への結合部をＣとし、他端の可動サポート１５への結合部をＤ１（Ｄ１´）とする。
まず、上部アーム１６の長さＡＢ（ＡＢ´）が、下部アーム１７の長さＣＤ１（ＣＤ１´）より大きい場合には（ＡＢ＞ＣＤ１、ＡＢ´＞ＣＤ１´）、シャフト２０の回転により、ＡＢの上部アーム１６がＡＢ´に移動すると、同時に従動アームであるＣＤ１の下部アーム１７が、ＣＤ１´に移動する。このとき、可動サポート１５は、ＢＤ１方向からＢＤ１´方向となる。即ち、可動サポート１５は、前方で、斜め上方に移動する。そこで、可動サポート１５に固定されたグリル２も同様に、前方で、斜め上方に可動する。
また、下部アーム１７の長さを変え、即ち、ＣＤ２とし、上部アーム１６の長さＡＢと同じにすると、同様に、ＡＢの上部アーム１６がＡＢ´に移動すると、同時に従動アームであるＣＤ２の下部アーム１７が、ＣＤ２´に移動する。そこで、可動サポート１５は、ＢＤ２方向からＢＤ２´方向となる。即ち、前方上方で、平行に移動する。そして、グリル２も前方上方で、平行に可動する。
そこで、上部アーム１６と下部アーム１７との長さ関係を選択することにより、グリル２を、前方上方で、傾斜させることも、平行に可動することができる。
【００２１】
本グリル可動機構のアーム機構によれば、グリル２を前方で、上方に可動することができる。また、上部アーム１６と下部アーム１７の長さを変えることにより、前方上方で、平行または斜めに可動することができる。
本グリル可動機構によるグリル２の可動は、図１及び図２の状態から図１３及び図１４の状態とする。室内機停止時には、グリル２は可動しない。この場合、図２に示すように、グリル２と上下風向調整フラップ８とで、前面の吸込口１０及び吹出口１１の上端部と上下風向調整フラップ８の上端部とで形成される吹出口上部隙間１２（この隙間１２を設けることにより上下風向調整フラップ８の風向調整の可動が容易となる）等の全ての室内機本体１の前面の開口部を覆い、意匠性向上の効果をだしている。
室内機の運転により、図１４に示すようににグリル２は前方で、上方に、傾斜して可動する。このようにグリル２が前方に可動することにより、前面の吸込口１０は、下方向も含めて全周から空気を吸込むことができ、充分の空気量を確保できる。
また、グリル２を前方で、上方に可動することにより、図１４に示すように吹出口１１からの吹出し風が可動状態のグリル２に当たるのを防止できる。
さらに、グリル２を前方で、上方に傾けて可動することにより、グリル２の上端部が上方に出すぎる不都合を回避できる。
【００２２】
本空気調和機の室内機は、室内機の運転停止時には、グリル開閉機構により、グリル２を開き、また、室内機本体１から取外し、フィルターの清掃等のメンテナンスが可能であり、また、室内機運転中は、グリル可動機構により、グリル２を室内機本体１の前方に可動して前面の吸込口１０の全周から充分の室内空気を吸込むことができる。
【００２３】
また、本室内機は、可動サポート１５にグリル２を取り付け、可動サポート１５を前方に移動させることにより、グリル２を前方に可動させるので、前面の吸込口１０から下方も含めて全周から空気を吸込むことができ、充分な吸込み空気量を確保できる。
【００２４】
また、本室内機は、可動サポート１５を前方で、上方に移動させ、グリル２も同方向に可動させることにより、下部の吹出口１１から吹出す吹出し風がグリル２に当たり、吹出しが抑えられるのが防止できる。
【００２５】
また、本室内機は、可動サポート１５が可動しないとき、グリル２により吹出口１１の上端部と上下風光調整フラップ８の上端部間の開口及び上下風向調整フラップ８の上端部が塞がれるので、意匠性の向上効果がある。
【００２６】
また、本室内機は、グリル２を可動させる可動サポート１５を上部アーム１６及び下部アーム１７を介して移動させるので、両アーム１６、１７の長さを選定することにより、グリル２の可動状態を適宜設定できる。
【００２７】
また、本室内機は、グリル２を可動させる可動サポート１５を上部アーム１６及び下部アーム１７を介して移動させ、両アーム１６、１７の長さを変えたので、グリル２を前方、上方に傾けて可動することができ、グリル２の上端部が上方に出すぎることを防止できる。
【００２８】
また、本室内機は、可動サポート１５を、前面パネル１４の左右両端側に設け、可動サポート１５の前面が前面パネル１４と同一面となる同一面配置位置と該同一面配置位置より前方の前方配置位置とに移動可能としたので、室内機本体１の厚さ方向の小型化を図ることができる。
【図面の簡単な説明】
【００２９】
【図１】本発明の実施の形態1の空気調和機の室内機本体の外観を示す斜視図である。
【図２】図１の室内機本体の内部構成を示す断面図である。
【図３】本発明の実施の形態１の空気調和機の室内機本体のグリルを開いた室内機本体を示す斜視図である。
【図４】本発明の実施の形態１の空気調和機の室内機本体の軸受部を示す要部拡大図である。
【図５】図４と同じ軸受部を示す要部拡大図である。
【図６】本発明の実施の形態１の空気調和機の室内機本体のグリル内面を示す斜視図である。
【図７】本発明の実施の形態１の空気調和機の室内機本体の軸部を示す要部拡大図である。
【図８】本発明の実施の形態１の空気調和機の室内機本体のキャッチ部を示す要部拡大図である。
【図９】図８と同じキャッチ部を示す要部拡大図である。
【図１０】本発明の実施の形態１の空気調和機の室内機本体の操作部を示す要部拡大図である。
【図１１】本発明の実施の形態１の空気調和機の室内機本体の操作部をキャッチ部に結合した状態を示す部分拡大図である。
【図１２】図１２の操作部とキャッチ部との結合を解除することを説明する図である。
【図１３】本発明の実施の形態１の空気調和機の室内機本体のグリル可動時の室内機本体を示す斜視図である。
【図１４】図１３の室内機本体の内部構成を示す断面図である。
【図１５】図１３のグリルを外した室内機本体を示す斜視図である。
【図１６】図１３のグリルを外した別の角度から見た室内機本体を示す斜視図である。
【図１７】本発明の実施の形態１の空気調和機の室内機本体のグリルを可動しないときのグリルを外した室内機本体を示す斜視図である。
【図１８】図１７の室内機本体を示す要部拡大図である。
【図１９】本発明の実施の形態１の空気調和機の室内機本体のグリル可動しないときのグリル可動機構部を示す要部拡大図である。
【図２０】本発明の実施の形態１の空気調和機の室内機本体のグリル可動時のグリル可動機構部を示す要部拡大図である。
【図２１】図１９のグリル可動機構部示す要部拡大図である。
【図２２】図２０のグリル可動機構部示す要部拡大図である。
【図２３】本発明の実施の形態１の空気調和機の室内機本体のアーム機構を説明する図である。
【符号の説明】
【００３０】
１  室内機本体、２  グリル、８  上下風光調整フラップ、１０  吸込口、１１  吹出口、１４  前面パネル、１５  可動サポート、１６  上部アーム、下部アーム、１８  駆動モータ、２０  シャフト。
【図１】
2006097980.tif 000003
【図２】
2006097980.tif 000004
【図３】
2006097980.tif 000005
【図４】
2006097980.tif 000006
【図５】
2006097980.tif 000007
【図６】
2006097980.tif 000008
【図７】
2006097980.tif 000009
【図８】
2006097980.tif 000010
【図９】
2006097980.tif 000011
【図１０】
2006097980.tif 000012
【図１１】
2006097980.tif 000013
【図１２】
2006097980.tif 000014
【図１３】
2006097980.tif 000015
【図１４】
2006097980.tif 000016
【図１５】
2006097980.tif 000017
【図１６】
2006097980.tif 000018
【図１７】
2006097980.tif 000019
【図１８】
2006097980.tif 000020
【図１９】
2006097980.tif 000021
【図２０】
2006097980.tif 000022
【図２１】
2006097980.tif 000023
【図２２】
2006097980.tif 000024
【図２３】
2006097980.tif 000025